(57)【要約】      （修正有）【課題】これまで化石化燃料などを利用して得ていた回転動力を、エネルギー消費する事無く回転動力を得る。【解決手段】永久磁石３が持つ磁気反発エネルギーを、二重の回転型シリンダー１、２の中で連鎖的に発生させ、回転動力とするものである。ひとつの永久磁石ではささいな磁気反発エネルギーでも、数千、数万あるいはそれ以上の数の磁気反発エネルギーは、きわめて大きな回転動力として利用可能である。【選択図】図１
2015035939.tif 000002
【特許請求の範囲】
【請求項１】
本構造は、図１に示すとおり、わずかな隙間を介した二重円筒形の筒状の筐体（以下、シリンダーと記す）に、出力に応じた複数の永久磁石（以下マグネットと記す）を埋設した構造をとる。
この二重円筒形のシリンダーは、いずれか一方が固定され、いずれか一方が回転可能であるものとする。
二重円筒形シリンダーの外側にあたるシリンダーには円筒形の内側の面上に、および内側にあたるシリンダーには円筒形の外側の面上に、円周方向に対し一定角度ごとに複数のマグネットを埋設し、また円筒形方向にも［請求項２］に示す配列規則に基づき埋設する。そして、両シリンダーのマグネットは、同極性同士が向き合うよう構成し、これらのマグネットが向き合った際に連鎖的に磁気反発を起こすことにより、一方の回転可能なシリンダーで回転エネルギーを得ることを特徴としたリニア発動機。
【請求項２】
マグネットは図２に示すとおり、それぞれのシリンダーの内外の面上において円筒方向に対し、このいずれか一方のシリンダーでは直線状、もう一方のシリンダーでは螺旋状になるよう複数配列配置することを特徴とした請求項１に記載の発明。
【請求項３】
マグネットは図３に示すとおり、シリンダーの側面から見た場合の形状が先端部分では、くし型の形状であり、かつシリンダーに埋設される状態が回転方向に対し一定の角度を持つか、図３−３に示すように先端部分に角度を持った切欠を設けることで、磁束方向をシリンダー回転方向に偏向させた構造を特徴とした請求項１に記載の発明。
【請求項４】
二重円筒形のシリンダーは、図４に示すとおり、矩形を組み合わせた構造をとることで、二重円筒形シリンダー内マグネットの対面構造を多段構成することにより、（図４では、三重構造を示している。）配列配置されるマグネットを可能な限り多く持たせられることを特徴とした請求項１に記載の発明。
【発明の詳細な説明】
【発明の詳細な説明】
【０００１】
【技術分野】本発明は永久磁石を用い、二つの磁石の同極性同士を近づけた際に生じる磁気反発現象を利用し、回転動力として取り出し利用することを目的とした、リニア発動機に関する。
【発明が解決しようとする課題】
【０００２】  マグネットを二つ用い、同極性同士を近づけた場合磁気反発を起こす。
このマグネットを限りなく接するまで近づけようとすると、その磁気反発エネルギーはきわめて大きくなる。このことは、広く一般に知られた現象である。しかしながら、この磁気反発エネルギーを動力として利用しようとする発明は、あまり知られていない。
【課題を解決するための手段】
【００３】本発明は図２に示すとおり、マグネットを目的とする出力に見合う数を二つのシリンダーの円周方向、ならびに円筒形方向に埋設した構造をとる。そして、このシリンダー同士の隙間をできるだけ狭く構成し、両シリンダーに埋設されたマグネット同士が同極性を向け重なり合うよう構成する。また、シリンダーの円筒形方向に埋設されるマグネットは、いずれか一方のシリンダーでは円筒形方向に対し直線状に、もう一方のシリンダーでは、螺旋状に配置する。ここでいう螺旋状とは、円周上で隣り合うマグネットの間を埋めるよう円筒面上の対角線上（図２−２ＡおよびＢの対角線上）に等間隔配置することを指す。円周上のマグネット同士の磁気反発は、シリンダー同士のわずかな角度差をもたらし、螺旋状に配されたマグネットは次々にと磁気連鎖反発をもたらし回転動力となる。
次に両シリンダーに埋設されるマグネットは図３に示すとおり、いずれか一方の回転可能シリンダーの回転方向に対し、磁束方向が任意の角度を持つよう構成する。具体的には図３−１、図３−２に示すとおり、任意の角度をつけシリンダーに埋設する、もしくは図３−３に示すとおり、マグネットの先端部分に角度を持った切欠を設け、磁束方向を偏向させることで対処する。これは、マグネット同士が向き合い、大きな磁気反発が起きた際、そのエネルギーが回転可能シリンダーを回転方向に押し出すよう働かせるためである。さらに、マグネットの先端部分は図３−２、図３−３に示すとおり、くし型に加工する。図３−１は、くし型に加工していない状態を示している。図３−１と図３−２、図３−３を比較すれば、マグネット同士の間隔の違いは歴然である。くし型に加工する理由は、以上のようにマグネット同士の間隔を詰めること以外に、マグネット同士が可能な限り近づいた際、マグネットの磁気反発面の面積を確保するためである。なお、図３−３で示されている、くし型センターポールピースは、実際に製作される場合を示している。透磁性金属材料を削りだし加工したものをマグネットに接合し用いる。また、同図では、磁気反発面周囲の漏れ磁束を制限するための磁気遮へい材を用いた磁気シールドを表記している。これは、可能な限り垂直方向に磁束が向かうよう考慮しているからである。このようにマグネット同士が限りなく近づくよう工夫することで、マグネット同士が連鎖的に大きな磁気反発を繰り返し回転することで、永久動力構造を実現できる。
以上の構造は、図４に示すような矩形構造をとることで、マグネット同士の磁気反発層を複数構成することで、より多くのマグネットを持たせることができ、さらに大きな回転エネルギーを得ることが可能である。
【発明の実施形態】
【０００４】  以下本発明の実地形態を、図１を持って説明する。
１は外部シリンダー、２は内部シリンダー、３は埋設されるマグネット群、また図２はシリンダー内に埋設するマグネットの配置配列を示す。
図３に示される、３−１、３−２、３−３はシリンダーの断面から見た、マグネットの角度構成、ならびに先端のくし型形状を示す。
図４は、多段型シリンダー構造のリニア発動機を示す。
【発明の効果】
【０００５】本発明はエネルギーを一切使用せず、また環境の変化にも左右されない半永久的に回転動力を享受できる構造体である。したがって、大型船舶などの動力（要トルクコンバーター）、または発電機と組み合わせた電気エネルギーの創出に、これまでにないエコロジーを提供可能である。
【図面の簡単な説明】
【図１】全体構造図
【図２】シリンダーの内外面上におけるマグネット配列配置説明図
【図３】マグネットの埋設角度ならびに先端形状説明図
【図４】多段型シリンダー構造説明図
【図１】
2015035939.tif 000003
【図２】
2015035939.tif 000004
【図３】
2015035939.tif 000005
【図４】
2015035939.tif 000006
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
複数の永久磁石（以下、マグネットと記す）図１−４を、目的とする出力に見合う数を、Ｎ極またはＳ極のいずれか一方の磁極面のみを向け、筐体（以下、シリンダーと記す）の一部である外部シリンダー図１−１ではその内側に、また、内部シリンダーの図１−２に対してはその外側に同極同士が向き合うよう円周上、（図１正面図）に複数配列配置埋設し、またそれぞれの円筒形方向の面上においても図２−１、図２−２に示す配列規則に基づき、このいずれか一方のシリンダーでは円筒形方向に対し螺旋状図２−１、もう一方のシリンダーでは円筒形方向に対し直線状図２−２になるよう複数配列配置することを特徴とした請求項３に記載の発明。
【請求項２】
マグネットは図３−２、図４に示すとおり、シリンダーの側面から見た形状が先端部分では、くし形の形状であり、かつシリンダーに埋設される状態が回転方向に対し一定の角度を持ち、磁束方向をシリンダー回転方向に偏向させた構造を特徴とした請求項３に記載の発明。
【請求項３】
本構造は図１−１に示す外部シリンダーおよび図１−２内部シリンダーさらに図１−３，４，５，６に代表されるマグネット郡で構成され、シリンダー同士はわずかな隙間を介した二重円筒形シリンダー構造に、目的とした出力に応じた複数のマグネットを、外側シリンダーではその内側に、内側シリンダーではその外側に埋設した構造を特徴とする。
この二重円筒形のシリンダーは、いずれか一方が固定され、いずれか一方が回転可能であるものとする。
マグネットは、円周方向に対し図１（正面図）に示すとおり一定角度ごとに複数のマグネットを埋設し、また円筒形方向にも［請求項１］に示す配列規則に基づき埋設する。そしてこの両シリンダーのマグネット郡が回転に伴いわずかな角度差をもつたび、円筒形方向に埋設された、螺旋状のマグネット郡ならびに直線状のマグネット郡が順次向き合った際に連鎖的に磁気反発を繰り返すことにより、一方の回転可能なシリンダーで回転エネルギーを得ることを特徴としたリニア発動機である。
【手続補正２】
【補正対象書類名】明細書
【補正対象項目名】全文
【補正方法】変更
【補正の内容】
【発明の詳細な説明】
【発明の詳細な説明】
【技術分野】
【０００１】本発明はマグネットを用い、二つの磁石の同極性同士を近づけた際に生じる磁気反発現象を利用し、回転動力として取り出し利用することを目的とした、リニア発動機に関する。
【発明が解決しようとする課題】
【０００２】マグネットを二つ用い、同極性同士を近づけた場合磁気反発を起こす。このマグネットを限りなく接するまで近づけようとすると、その磁気反発エネルギーは極めて大きくなる。このことは、広く一般に知られた現象である。しかしながらこの磁気反発エネルギーを、動力として利用しようとする発明はあまり知られていない。
【課題を解決するための手段】
【０００３】本発明は図２−１、２−２（黒い点の部分はすべてマグネットを示し、展開図的デフォルメ表示されている）に示すとおり、マグネットを目的とする出力に見合う数を二つのシリンダーの円周方向、ならびに円筒形方向に等間隔に複数埋設した構造をとる。そしてこのシリンダー同士の隙間をできるだけ狭く構成し、両シリンダーに埋設されたマグネット同士が同極性同士を向け、円筒形方向に重なり合うよう構成する。また、シリンダーの円筒形方向に埋設されるマグネットは、いずれか一方のシリンダーでは図２−１に示すとおり円筒形方向に対し螺旋状に、もう一方のシリンダーでは、図２−２に示すとおり直線状に配置する。ここでいう螺旋状とは、円周上で隣り合うマグネットの間を埋めるよう円筒形方向の面上の対角線図２−２ＡおよびＢの上に等間隔配置することを指す。円周上のマグネット同士の磁気反発は、シリンダー同士のわずかな角度差をもたらし、螺旋状に配されたマグネットと、直線状に配されたマグネットは次々に連鎖的に磁気反発を繰り返し回転動力となる。
次に両シリンダーに埋設されるマグネットは図３に示すとおり、いずれか一方の回転可能シリンダーの回転方向に対し、磁束方向が任意の角度を持つよう構成する。具体的には図３−１、図３−２に示すとおり、任意の角度をつけシリンダーに埋設する、もしくは図４に示すとおり、マグネットの先端部分に図４−１に示す角度を持った切欠を設け、磁束方向を偏向させることで対処する。これは、マグネット同士が向き合い、大きな磁気反発が起きた際、そのエネルギーが回転可能シリンダーを回転方向に押し出すよう働かせるためである。さらに、マグネットの先端部分は図３−２、図４に示すとおり、くし型に加工する。図３−１は、くし型に加工していない状態を示している。図３−１と図３−２、を比較すれば、それぞれのマグネット１０，１２および１１，１３同士のａの間隔の違いを大きく狭めることができる。くし型に加工する理由は、以上のようにマグネット同士の間隔を狭めること以外に、マグネット同士が可能な限り近づいた際、マグネットの磁気反発面の面積を確保するためでもある。なお、図４で示されている、くし型センターポールピースは、実際に製作される場合を示している。図４−２透磁性金属材料を削りだし加工したものを図４−３マグネットに接合し用いる。また、同図では、磁気反発面周囲の漏れ磁束を制限するための磁気遮へい材図４−４を用いた磁気シールドを表記している。これは、可能な限りマグネットの面に対し垂直方向に磁束が向かうよう考慮しているからである。このようにマグネット同士が限りなく近づくよう工夫することで、マグネット同士が連鎖的に大きな磁気反発を繰り返し回転することで、天然資源を必要としない磁力による動力構造を実現できる。
以上の構造は、図５−１外部シリンダー、図５−２内部シリンダー、図５−３マグネットに示すような多段矩形構造をとることで、マグネット同士の磁気反発層を複数構成することで、より多くのマグネットを持たせることができ、さらに大きな回転エネルギーを得ることが可能である。
【発明の実施形態】
【０００４】以下本発明の実地形態を、図１を持って説明する。
１は外部シリンダー、２は内部シリンダー、３、４、５、６は埋設されるマグネット群、また図２はシリンダー内に埋設するマグネットの配置配列を示す。
図３に示される、３−１、３−２、図４はシリンダーの断面から見た、マグネットの角度構成、ならびに先端のくし型形状を示す。
図５は、多段型シリンダー構造のリニア発動機を示す。
【発明の効果】
【０００５】本発明はマグネットがもつ磁気エネルギーを利用することで、天然資源によるエネルギーを使用せず、また自然環境の変化にも大きく左右されない磁力による回転動力を享受できる構造体である。したがって、大型船舶などの動力（要トルクコンバーター）、または発電機と組み合わせた電気エネルギーの創出に、これまでにないエコロジーを提供可能である。
【図面の簡単な説明】
【図１】全体構造図
【図２】シリンダーの内外面上におけるマグネット配列配置説明図
【図３】マグネットの先端しく形構造説明図
【図４】マグネットの先端の切欠形状説明図
【図５】多段型シリンダー構造説明図
【手続補正３】
【補正対象書類名】図面
【補正対象項目名】全図
【補正方法】変更
【補正の内容】
【図１】
2015035939.tif 000007
【図２】
2015035939.tif 000008
【図３】
2015035939.tif 000009
【図４】
2015035939.tif 000010
【図５】
2015035939.tif 000011